(57)【要約】【課題】保温性と衝撃吸収性を確保できるとともに、長時間はいていたとしてもズレることはなく、しかもはいていることに違和感のないくつ下を提供すること。【解決手段】各足指を収納する指挿入部１１を有したくつ下であって、少なくとも指挿入部１１及びその直近を二重にして二重部１２とするとともに、この二重部１２の端部またはその次に、弾力性を強化したゴム入部１３を形成したこと。【選択図】図１
2004169200.tif 000002
【特許請求の範囲】
【請求項１】
各足指を収納する指挿入部を有したくつ下であって、
少なくとも前記指挿入部及びその直近を二重にして二重部とするとともに、
この二重部の端部またはその次に、弾力性を強化したゴム入部を形成したことを特徴とする部分二重くつ下。
【請求項２】
足を入れる口部を二重口部として、この二重口部の次部分をゴム入部としたことを特徴とする請求項１に記載の部分二重くつ下。
【発明の詳細な説明】
【０００１】
【産業上の利用分野】
本発明は、「くつ下」に関し、特に足指が収納される部分を二重にした部分二重くつ下に関するものである。
【０００２】
【従来の技術】
くつ下は、本来、足の保温や運動時等における緩衝機能を重視して形成されるものであり、種々なものが提案されてきている。
【０００３】
例えば、特許文献１には、「全面二重地として保温性を高めるとともに、内面パイル等の存在するニット裏目が足本体に直接接触しないようにして、運動中足に力を入れやすくして、外筒体の中への内筒体の挿入を自動化して省力化を図り、かつ口ゴム部の伸縮性を増やすことができる二重くつ下」が提案されている。また、特許文献２にも、「少ない工程で製造でき、しかも二重となったくつ下の足首部に全く段差がなく、はき心地の良好なくつ下」を提供する目的の製造方法が記載されている。
【０００４】
しかしながら、上記特許文献１及び２に記載されているくつ下は、その全体を二重にしているため保温性が必要以上に高くなり、使用中に足がむれるという問題が生ずるのではないかと考えられる。それだけでなく、保温性を高めるだけの目的であれば、太い糸を利用して製造した方が効果的であると考えられるのに、わざわざ全体を二重にしていることも、製造上に問題があると考えられる。
【０００５】
そこで、例えば、特許文献３にて提案されているような、「足の裏、指、かかと部分を二重にした保温効果の高いくつ下」が考えられる。
【０００６】
【特許文献１】
特開２００１−０５５６０５、要約書
【特許文献２】
特開平０５−００５２０２号、要約書
【特許文献３】
特開平１０−３７７９０７号、要約書
【０００７】
【発明が解決しようとする課題】
特許文献３に記載されているくつ下は、足の裏やカカト部分も二重にするものであるから、保温性からみてみると、前述した特許文献１及び２のくつ下のように、むれ易くなり、製造も困難になると考えられる。それだけでなく、二重部分での保温性は確保されている反面、運動や作業中には、この二重部分がかえって邪魔になるとも考えられる。運度や作業中に、緩衝しなければならない衝撃が掛かるのは、足指やその近傍が大部分であり、足裏やカカト部分に掛かることは殆んどないからである。
【０００８】
また、仮に二重部分で衝撃を吸収するようにしても、その時の力でくつ下がズレてしまってはならない。つまり、衝撃吸収を目的とするのであれば、再びその位置での衝撃吸収が行えなければ、半日程度もはいていることのあるくつ下としては適当ではないのである。
【０００９】
そこで、本発明者等は、保温性は勿論、衝撃吸収性にも優れ、なおかつ使用感にも優れたくつ下とするにはどうしたらよいか、について種々検討を重ねてきた結果、本発明を完成したのである。
【００１０】
すなわち、本発明の目的とするところは、保温性と衝撃吸収性を確保できるとともに、長時間はいていたとしてもズレることはなく、しかもはいていることに違和感のないくつ下を提供することである。
【００１１】
【課題を解決するための手段】
以上の課題を解決するために、まず請求項１に係る発明の採った手段は、後述する実施の形態の説明中において使用する符号を付して説明すると、
「各足指を収納する指挿入部１１を有したくつ下であって、
少なくとも指挿入部１１及びその直近を二重にして二重部１２とするとともに、
この二重部１２の端部またはその次に、弾力性を強化したゴム入部１３を形成したことを特徴とする部分二重くつ下１０」
である。
【００１２】
すなわち、この請求項１に係るくつ下１０は、図２に示すように、足指を収納する部分を二重にして二重部１２としたものであり、この二重部１２は、各足指とその直近部分の全体を包み込むものである。そして、この二重部１２の端部またはその次には、ゴムを織り込んで弾力性を高めたゴム入部１３を形成し、このゴム入部１３の次は二重ではない単層部１４としたものである。
【００１３】
なお、後述する実施形態の指挿入部１１においては、図１にも示すように、各足指を個別に収納するようにして、各足指のムレ防止を図るようにしているが、本発明の目的からすると、この指挿入部１１は、全ての指をまとめて収納できるようにした通常の形態のものであってもよいものである。
【００１４】
さて、以上のように、この請求項１のくつ下１０が、足指及びその直近を包み込む二重部１２と、その次に形成したゴム入部１３とを有したものである結果、次のような機能を発揮することになる。まず、二重部１２によって足指の保温が図られることは当然として、この二重部１２により、運動や作業中に足指が受ける衝撃を吸収することになる。
【００１５】
この二重部１２は、これが受けた衝撃を吸収する結果、足指に対してズレようとするが、この二重部１２の次にはゴム入部１３が存在していたから、このゴム入部１３によって当該くつ下１０は足に対して二重部１２よりは強く密着している。このため、このゴム入部１３は、衝撃を吸収した二重部１２が足指に対してズレるのを防止することになり、当該くつ下１０をはき直す必要がないのである。
【００１６】
そして、このゴム入部１３のさらに次は、単層部１４、カカト部分の補強を行う補強部１５、そして単層部１６となっているのであるから、激しい運動や作業を行ったとしても、これらの単層部１４及び１６等によって汗が発散され得るから、当該くつ下１０の使用中に足がムレることはないのである。
【００１７】
従って、この請求項１のくつ下１０は、保温性と衝撃吸収性を確保できるとともに、長時間はいていたとしてもズレることはなく、しかもはいていることに違和感のないものとなっているのである。
【００１８】
上記課題を解決するために、請求項２に係る発明の採った手段は、上記請求項１のくつ下１０について、
「足を入れる口部を二重口部１８として、この二重口部１８の次部分をゴム入部１７であるとしたこと」
である。
【００１９】
すなわち、この請求項２のくつ下１０は、図１の図示上端部に形成してある口部を二重口部１８とするとともに、この二重口部１８の図示下側をゴム入部１７としたものである。
【００２０】
このゴム入部１７は、前述した二重部１２の次のゴム入部１３と同様に、足首にしっかりと密着するものであるから、運動や作業を激しく行っても、当該くつ下１０のズレを防止することになる。勿論、このくつ下１０の上端が二重口部１８となっているため、このくつ下１０をはく際にはき易くしているだけでなく、保温や密着性を向上させているものである。
【００２１】
従って、この請求項２のくつ下１０は、上述した請求項１のくつ下１０と同様な機能を発揮する他、ゴム入部１７や二重口部１８によって、より一層のズレ防止が図られているのである。
【００２２】
【発明の実施の形態】
次に、上記のように構成した各発明を、図面に示した実施の形態であるくつ下１０について説明すると、このくつ下１０は、図１に示したように、足指側から、二重部１２、ゴム入部１３、単層部１４、補強部１５、単層部１６、ゴム入部１７そして二重口部１８から形成したものであり、これらは、例えば特許文献２等に示されている編機により編成されるものである。
【００２３】
このくつ下１０の二重部１２は、足指を包み込む指挿入部１１と、その近傍部分を含むものであり、図２に示したように文字通り二重構造としたものである。この二重部１２を形成するには、この二重部１２程度にまで上述した編機で一重のものを二重部１２程度の大きさまで編んでおき、これを別に一重状態で編み込み途中にしてあるものに重ね、そしてこの編み込み途中にあるものの糸を利用して端部を編み込むのである。この編み込み部分が、図１及び図２に示した第１直結部１２ａである。
【００２４】
この実施形態の第１直結部１２ａは、次に述べるゴム入部１３と二重部１２との間に位置するものであるが、必要に応じてゴム入部１３の次となる第２直結部１２ｂとしてもよいものである。
【００２５】
ゴム入部１３は、文字通りゴム糸（図２中では黒点で示してある）を使用して編み込んだ部分であり、通常の方法で形成されるものである。勿論、このゴム入部１３は、ある程度の弾力性をもって足を包み込むとともに、違和感のない程度の締め付けをも行うものである。この点は、二重口部１８の下方に位置しているゴム入部１７についても同様である。
【００２６】
足のカカト部に当たることになる補強部１５は、通常のくつ下と同様単層部１４に形成したものであり、その両側の単層部１４及び１６と同様に単層ではあるが編み方を変えることにより、他の部分より強靱となるようにしてある。
【００２７】
この補強部１５の両側になる両単層部１４及び１６は、文字通り単層として編み込んだものであり、これにより、二重部１２等とは異なった通気性を確保するようにしているものである。つまり、こらの単層部１４及び１６は、当該くつ下１０が二重部１２を有するものではあっても、通気性に優れたものとするために、言わば積極的に形成したものであり、前述した特許文献１等に記載されたくつ下が全体を二重にしているのに比して、通気性に優れた単層部分を確保しているものである。
【００２８】
図１の図示上端に位置する二重口部１８は、編機による最終段階での編成により形成されるものであり、その端部を内側に織り込んでほつれ止めすることにより形成されるものである。つまり、この二重口部１８も文字通り二重になっているものであり、この二重口部１８をつかんで当該くつ下１０をはく際の補強部となっているだけでなく、足のくるぶし以上の部分に、ゴム入部１７とともにしっかりと密着し得る部分となっているものである。
【００２９】
【発明の効果】
以上、詳述した通り、本発明においては、
「各足指を収納する指挿入部１１を有したくつ下であって、
少なくとも指挿入部１１及びその直近を二重にして二重部１２とするとともに、
この二重部１２の端部またはその次に、弾力性を強化したゴム入部１３を形成したこと」
にその主たる特徴がありこれにより、保温性と衝撃吸収性を確保できるとともに、長時間はいていたとしてもズレることはなく、しかもはいていることに違和感のないくつ下を提供することができるのである。
【００３０】
すなわち、本発明に係るくつ下１０は、その二重部１２によって保温と衝撃吸収を行い、各単層部１４・１６にて通気性を確保し、ゴム入部１３等によってズレ防止を図ることができるのであり、所謂「はき心地」の非常に優れたものとなっているのである。
【図面の簡単な説明】
【図１】本発明に係るくつ下の側面図である。
【図２】図１中の１−１線に沿ってみた部分断面図である。
【符号の説明】
１０        くつ下
１１        指挿入部
１２        二重部
１２ａ    第１直結部
１２ｂ    第２直結部
１３        ゴム入部
１４        単層部
１５        補強部
１６        単層部
１７    ゴム入部
１８    二重口部
【図１】
2004169200.tif 000003
【図２】
2004169200.tif 000004